(57)【要約】【課題】  断路器と接地開閉器の手動開閉操作のインターロック機能を簡素な部材で構成する。【解決手段】  断路器側主軸４と、接地開閉器側主軸５と、断路器側カム８と、断路器側シャッター１４と、断路器側操作口１５と、断路器側嵌合穴１７と、断路器側ブロック１１と、接地開閉器側カム１８と、接地開閉器側シャッター２３と、接地開閉器側操作口２４と、接地開閉器側嵌合穴２６と、接地開閉器側ブロック２０と、開閉器側嵌合穴１７に嵌め込まれる突出部１２ａを有する断路器側インターロック板１２と、断路器側嵌合穴１７に嵌め込まれる突出部２１ａを有する接地開閉器側インターロック板２１と、を備えたことを特徴とする。【選択図】  図２
2015122152.tif 000002
【特許請求の範囲】
【請求項１】
回動自在の断路器側主軸と、
前記断路器側主軸と所定の間隔を持って設けられた回動自在の接地開閉器側主軸と、
前記断路器側主軸に固定された断路器側カムと、
前記断路器側主軸の端面に対向して設けられた移動自在の断路器側シャッターと、
前記断路器側シャッターに設けられた手動ハンドルを挿入できる断路器側操作口と、
前記断路器側シャッターに設けられた断路器側嵌合穴と、
前記断路器側カムの外周面に押し付けられるように設けられた断路器側ブロックと、
前記接地開閉器側主軸に固定された接地開閉器側カムと、
前記接地開閉器側主軸の端面に対向して設けられた移動自在の接地開閉器側シャッターと、
前記接地開閉器側シャッターに設けられた前記手動ハンドルを挿入できる接地開閉器側操作口と、
前記接地開閉器側シャッターに設けられた接地開閉器側嵌合穴と、
前記接地開閉器側カムの外周面に押し付けられるように設けられた接地開閉器側ブロックと、
前記断路器側ブロックに一方端が固定されるとともに、他方端が前記接地開閉器側嵌合穴に嵌め込まれる突出部を有する断路器側インターロック板と、
前記接地開閉器側ブロックに一方端が固定されるとともに、他方端が前記断路器側嵌合穴に嵌め込まれる突出部を有する接地開閉器側インターロック板と、
を備えたことを特徴とする開閉器のインターロック装置。
【請求項２】
前記断路器側主軸を回動させて断路器を投入状態とすると、
前記接地開閉器側シャッターは、前記接地開閉器側嵌合穴に前記断路器側インターロック板の突出部が嵌め込まれ、移動不可となることを特徴とする請求項１に記載の開閉器のインターロック装置。
【請求項３】
前記接地開閉器側主軸を回動させて接地開閉器を投入状態とすると、
前記断路器側シャッターは、前記断路器側嵌合穴に前記接地開閉器側インターロック板の突出部が嵌め込まれ、移動不可となることを特徴とする請求項１に記載の開閉器のインターロック装置。
【請求項４】
前記断路器側インターロック板に前記突出部を二個所設け、それぞれが対応する接地開閉器側嵌合穴に嵌め込まれるようにしたことを特徴とする請求項１乃至請求項３のいずれか１項に記載の開閉器のインターロック装置。
【発明の詳細な説明】
【技術分野】
【０００１】
本発明の実施形態は、断路器と接地開閉器の開閉操作を制御する開閉器のインターロック装置に関する。
【背景技術】
【０００２】
従来、断路器と接地開閉器を手動で開閉操作するときには、一方を操作可、他方を操作不可とするインターロック装置が設けられることが知られている（例えば、特許文献１参照）。
【０００３】
このようなインターロック装置は、断路器の操作口から接地開閉器の操作口までを複数のリンク、シャッターなどで連結し、一方の操作口が開放なら、他方の操作口を閉塞し、一方の操作口からしか操作できないようにしている。しかしながら、リンク、シャッターなど部品点数が多く、これらの複数を連結しているので、組立作業や調整作業に多大の時間を要していた。調整が不充分であると、インターロック機能を失うことになる。このため、一方と他方の操作口を単純な部材で繋ぐなど簡素な構成とし、調整が容易なものが望まれていた。
【先行技術文献】
【特許文献】
【０００４】
【特許文献１】特開平１０−５６７０５号公報
【発明の概要】
【発明が解決しようとする課題】
【０００５】
本発明が解決しようとする課題は、断路器と接地開閉器の開閉操作のインターロック機能を簡素な部材で構成した開閉器のインターロック装置を提供することにある。開閉操作は、手動操作とする。
【課題を解決するための手段】
【０００６】
上記課題を解決するために、実施形態の開閉器のインターロック装置は、回動自在の断路器側主軸と、前記断路器側主軸と所定の間隔を持って設けられた回動自在の接地開閉器側主軸と、前記断路器側主軸に固定された断路器側カムと、前記断路器側主軸の端面に対向して設けられた移動自在の断路器側シャッターと、前記断路器側シャッターに設けられた手動ハンドルを挿入できる断路器側操作口と、前記断路器側シャッターに設けられた断路器側嵌合穴と、前記断路器側カムの外周面に押し付けられるように設けられた断路器側ブロックと、前記接地開閉器側主軸に固定された接地開閉器側カムと、前記接地開閉器側主軸の端面に対向して設けられた移動自在の接地開閉器側シャッターと、前記接地開閉器側シャッターに設けられた前記手動ハンドルを挿入できる接地開閉器側操作口と、前記接地開閉器側シャッターに設けられた接地開閉器側嵌合穴と、前記接地開閉器側カムの外周面に押し付けられるように設けられた接地開閉器側ブロックと、前記断路器側ブロックに一方端が固定されるとともに、他方端が前記接地開閉器側嵌合穴に嵌め込まれる突出部を有する断路器側インターロック板と、前記接地開閉器側ブロックに一方端が固定されるとともに、他方端が前記断路器側嵌合穴に嵌め込まれる突出部を有する接地開閉器側インターロック板と、を備えたことを特徴とする。
【図面の簡単な説明】
【０００７】
【図１】本発明の実施例１に係る断路器と接地開閉器を用いた電力系統図。
【図２】本発明の実施例１に係る開閉器のインターロック装置の構成を示す斜視図。
【図３】本発明の実施例１に係る開閉器のインターロック装置の構成を示す図。
【図４】本発明の実施例２に係る断路器と接地開閉器を用いた電力系統図。
【図５】本発明の実施例２に係る開閉器のインターロック装置の構成を示す上面図。
【発明を実施するための形態】
【０００８】
以下、図面を参照して本発明の実施例を説明する。
【実施例１】
【０００９】
先ず、本発明の実施例１に係る開閉器のインターロック装置を図１〜図３を参照して説明する。図１は、本発明の実施例１に係る断路器と接地開閉器を用いた電力系統図、図２は、本発明の実施例１に係る開閉器のインターロック装置の構成を示す斜視図、図３は、本発明の実施例１に係る開閉器のインターロック装置の構成を示す図であり、（ａ）は、上面図、（ｂ）は、正面図である。
【００１０】
電力系統を図１に示すが、断路器１の負荷側に接地開閉器２を接続している。
【００１１】
次に、断路器１と接地開閉器２のインターロック装置を図２、図３を参照して説明する。図に示すように、操作機構の筐体に固定された板状のサポート板３には、断路器１に連結された断路器側主軸４と、接地開閉器２に連結された接地開閉器側主軸５が軸方向を略平行に所定の間隔を保って、回転自在に貫通している。
【００１２】
断路器側主軸４は、両端を曲折したコ字状のカムサポート板６のコ字状の底面部６ａを回動自在に貫通している。サポート板３とカムサポート板６間には、四隅にロッド７を設け、所定の間隔に保っている。カムサポート板６を貫通した断路器側主軸４には、大径と小径の円形を連続的に繋いだダルマ状の断路器側カム８が貫通固定されている。断路器側主軸４の先端には、ピン９が設けられ、手動ハンドル１０が嵌め込まれるようになっている。
【００１３】
カムサポート板６の曲折した一方端曲折部６ｂには、Ｌ字状の内側に、左右方向に移動自在のＬ字状の断路器側ブロック１１が設けられている。一方端曲折部６ｂと断路器側ブロック１１のＬ字状は、同一方向に配置される。断路器側ブロック１１は、Ｌ字状の一方端面が断路器側カム８の外周面に当接し、他方端面に後述する接地開閉器側まで伸びたコ字状の断路器側インターロック板１２の一方端が固定されている。他方端には、内側方向に突出した突出部１２ａが設けられている。一方端曲折部６ｂと断路器側ブロック１１間には、断路器側ブロック１１を断路器側カム８側に押し付けるように付勢された断路器側バネ１３が設けられている。
【００１４】
断路器側主軸４の先端には、コ字状の断路器側シャッター１４が、先端を囲むように設けられている。この先端に対向し、断路器側シャッター１４の中間部には、開口した断路器側操作口１５が設けられており、手動ハンドル１０が挿入されるようになっている。また、断路器側シャッター１４を上方向に持ち上げるように付勢された断路器側操作バネ１６が設けられている。断路器側シャッター１４のコ字状の外側の側面には、断路器側嵌合穴１７が設けられている。
【００１５】
接地開閉器側主軸５も断路器側と同様の構成であり、カムサポート板６の底面部６ａを回動自在に貫通している。カムサポート板６を貫通した接地開閉器側主軸５には、ダルマ状の接地開閉器側カム１８が貫通固定されている。接地開閉器側主軸５の先端には、ピン１９が設けられ、手動ハンドル１０が嵌め込まれるようになっている。
【００１６】
カムサポート板６の曲折した他方端曲折部６ｃには、Ｌ字状の内側に、左右方向に移動自在のＬ字状の接地開閉器側ブロック２０が設けられている。他方端曲折部６ｃと接地開閉器側ブロック２０のＬ字状は、同一方向に配置される。接地開閉器側ブロック２０は、Ｌ字状の一方端面が接地開閉器側カム１８の外周面に当接し、他方端面に断路器側まで伸びたコ字状の接地開閉器側インターロック板２１の一方端が固定されている。他方端には、内側方向に突出した突出部２１ａが設けられている。他方端曲折部６ｃと接地開閉器側ブロック２０間には、接地開閉器側ブロック２０を接地開閉器側カム１８に押し付けるように付勢した接地開閉器側バネ２２が設けられている。
【００１７】
接地開閉器側主軸５の先端には、コ字状の接地開閉器側シャッター２３が、先端を囲むように設けられている。この先端に対向し、接地開閉器側シャッター２３の中間部には、開口した接地開閉器側操作口２４が設けられており、手動ハンドル１０が挿入されるようになっている。また、接地開閉器側シャッター２３を上方向に持ち上げるように付勢された接地開閉器側操作バネ２５が設けられている。接地開閉器側シャッター２３のコ字状の外側の側面には、接地開閉器側嵌合穴２６が設けられている。
【００１８】
このような構成において、断路器側シャッター１４を断路器側操作バネ１６のバネ力に抗して押し下げると、断路器側操作口１５と断路器側主軸４の先端が一致し、手動ハンドル１０を嵌め込むことができる。手動ハンドル１０を反時計方向に略９０度回動させると、断路器側カム８が半径方向の距離を増大するように回動し、断路器側ブロック１１を右方向に移動させる。同時に、断路器側ブロック１１で断路器側バネ１３が押し縮められる。これにより、断路器側インターロック板１２も右方向に移動し、突出部１２ａが接地開閉器側嵌合穴２６に嵌め込まれる。すると、接地開閉器側シャッター２３は、移動させることが不可となり、接地開閉器側主軸５の操作を行うことができなくなる。図２、図３は、これらの状態を示している。
【００１９】
なお、接地開閉器を操作する場合には、断路器側主軸４を時計方向に回動させて開路状態にすると、断路器側インターロック板１２が戻り、接地開閉器側シャッター２３を押し下げることができるようになる。手動ハンドル１０を挿入し、接地開閉器側主軸５を時計方向に回動させると、投入状態とすることができる。この場合、突出部２１ａが断路器側嵌合穴１７に嵌め込まれ、断路器側主軸４の操作を不可とする。
【００２０】
これらにより、断路器１と接地開閉器２は、同一の電力系統に接続されており、開閉操作のインターロックが取られる。断路器１側と接地開閉器２側は、一枚のインターロック板１２、２１で繋いでいるので、ブロック１１、２０と嵌合穴１７、２６間の寸法調整などが容易となる。
【００２１】
上記実施例１の開閉器のインターロック装置によれば、断路器１と接地開閉器２間を、一枚ものの断路器側インターロック板１２、接地開閉器側インターロック板２１で連結しているので、簡素な構成で部品点数が削減でき、組立作業や調整作業を容易とすることができる。
【実施例２】
【００２２】
次に、本発明の実施例２に係る開閉器のインターロック装置を図４、図５を参照して説明する。図４は、本発明の実施例２に係る断路器と接地開閉器を用いた電力系統図、図５は、本発明の実施例２に係る開閉器のインターロック装置の構成を示す上面図である。なお、この実施例２が実施例１と異なる点は、接地開閉器を電源側に接続したことである。図４、図５において、実施例１と同様の構成部分においては、同一符号を付し、その詳細な説明を省略する。
【００２３】
電力系統を図４に示すが、断路器１の電源側にも接地開閉器３０を接続している。
【００２４】
これらのインターロック装置を図５を参照して説明する。断路器側主軸４の右側には、接地開閉器３０を開閉操作する接地開閉器側主軸３１を設けている。端部には、手動ハンドルを嵌め込むピン３２が設けられている。端部に対向し、接地開閉器側操作口、接地開閉器側嵌合穴、接地開閉器側操作バネ３３を有する接地開閉器側シャッター３４が設けられている。接地開閉器側嵌合穴には、断路器側インターロック板１２の突出部が、断路器の操作可のとき、嵌め込まれるようになっている。
【００２５】
上記実施例２の開閉器のインターロック装置によれば、実施例１による効果のほかに、断路器側インターロック板１２に突出部を二個所設けているので、二つの接地開閉器の開閉操作を制御することができるようになる。二個所の突出部は、それぞれに対応する接地開閉器の嵌合穴に嵌め込まれるものである。
【００２６】
以上述べたような実施形態によれば、複数の開閉器の機械的インターロックを開閉器の相互に跨るインターロック板で構成しているので、部品点数が削減でき、組立作業や調整作業を容易とすることができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１  断路器
２、３０  接地開閉器
４  断路器側主軸
５  接地開閉器側主軸
８  断路器側カム
１１  断路器側ブロック
１２  断路器側インターロック板
１４  断路器側シャッター
１７  断路器側嵌合穴
１８  接地開閉器側カム
２０  接地開閉器側ブロック
２１  接地開閉器側インターロック板
２３、３４  接地開閉器側シャッター
２６  接地開閉器側嵌合穴
【図１】
2015122152.tif 000003
【図２】
2015122152.tif 000004
【図３】
2015122152.tif 000005
【図４】
2015122152.tif 000006
【図５】
2015122152.tif 000007